(57)【要約】【課題】校正基準部材を手作業で容易に着脱することが可能な画像読取り装置を提供する。【解決手段】保持部９３（第１保持体９１、第２保持体９２）を押し下げたり解放したりする操作と、円筒回転部９６を回転させる操作とを行うだけで、保持部９３並びに校正基準部材７８を着脱することができる。また、コイルバネ９５は、校正基準部材７８をガタツキなく押えるだけではなく、保持部９３を上方に付勢して円筒回転部９６から押出すので、これによっても保持部９３並びに校正基準部材７８の着脱が容易化されている。【選択図】図１２
2014082680.tif 000002
【特許請求の範囲】
【請求項１】
校正基準部材と、用紙上に形成されたテストチャート及び前記校正基準部材を読取る読取り部とを備えた画像読取り装置であって、
回転される環状回転部と、
前記校正基準部材を保持し、前記読取り部に対して接離方向に移動可能にかつ回転を禁止された状態で前記環状回転部の内側に配置され、付勢部材により前記読取り部に接近する方向に付勢された保持部とを備え、
前記環状回転部の内側には、凸部が設けられ、前記保持部の外周には、前記環状回転部の回転方向に延在するガイド部、前記ガイド部の端に位置するストッパー、及び前記ガイド部及び前記ストッパーが存在しない空きスペースが設けられ、
前記付勢部材により前記保持部が移動されて、前記凸部が前記ガイド部に当接した状態では、前記環状回転部の回転に伴い、前記凸部が前記ガイド部に摺接して前記ストッパーに突き当てられ、
前記保持部が前記付勢部材の付勢力に抗して前記読取り部から離間する方向に移動され、前記凸部が前記ガイド部及び前記ストッパーから離間した状態では、前記環状回転部の回転に伴い、前記凸部が前記ストッパーを超えて前記空きスペースに移動されることを特徴とする画像読取り装置。
【請求項２】
請求項１に記載の画像読取り装置であって、
前記ガイド部は、前記環状回転部の回転方向及び前記接離方向に延在し、前記環状回転部の回転に伴い、前記凸部が前記ガイド部に摺接して、前記保持部が前記接離方向に移動されることを特徴とする画像読取り装置。
【請求項３】
請求項１又は２に記載の画像読取り装置であって、
前記保持部を前記接離方向に移動可能にかつ回転を禁止された状態で前記環状回転部の内側に支持する支持部を備え、
前記付勢部材は、前記支持部と前記校正基準部材又は前記保持部との間に設けられて、前記校正基準部材を前記読取り部に接近する方向に付勢することを特徴とする画像読取り装置。
【請求項４】
請求項１から３のいずれか１つに記載の画像読取り装置であって、
前記保持部は、前記校正基準部材を前記接離方向で挟み込んで支持する第１保持体及び第２保持体を有することを特徴とする画像読取り装置。
【請求項５】
請求項１から４のいずれか１つに記載の画像読取り装置と、用紙上にテストチャートを形成する画像形成部とを備え、
前記読取り部は、前記画像形成部よりも前記用紙の搬送方向下流側に設けられたことを特徴とする画像形成装置。
【発明の詳細な説明】
【技術分野】
【０００１】
本発明は、画像の校正に用いられるテストチャートを読取る画像読取り装置、及びそれを備えた画像形成装置に関する。
【背景技術】
【０００２】
この種の画像形成装置では、像担持体表面を均一に帯電し、光ビームにより像担持体表面を走査して、静電潜像を像担持体表面に形成し、像担持体表面の静電潜像を現像して、像担持体表面にトナー像を形成し、トナー像を像担持体から記録用紙に転写し、記録用紙を加熱及び加圧して、トナー像を記録用紙上に定着させている。
【０００３】
また、画像形成装置としては、該画像形成装置により記録用紙上に形成されたテストチャートを読取る画像読取り装置を備えたものがあり、この画像読取り装置により読取られたテストチャートに基づき像担持体表面に形成されるトナー像（画像）を校正する。例えば、画像読取り装置は、ＣＩＳや測色器などの読取り部と、読取り部により読取られて、読取り部等のキャリブレーションに用いられる校正基準部材とを有している。校正基準部材は、例えば白色であり、キャリブレーションの精度低下を防止するべく、汚れた校正基準部材をクリーニングしたり、あるいは読取り部と共に交換したりすることがあるので、校正基準部材を容易に着脱できるのが望ましい。
【０００４】
例えば、特許文献１では、発光素子により校正基準部材を照明し、ＣＩＳにより校正基準部材を読取り、その読取り結果に基づきＣＩＳのキャリブレーションを行っている。ただし、校正基準部材を着脱できるようにはしていない。
【０００５】
また、部品を容易に着脱し得る構造は、例えば特許文献２、３に記載されている。特許文献２では、キャップ本体が開口部に挿入された状態で、キャップ本体の溝にコインを差し入れて、コインを回転させると、キャップ本体も回転し、キャップ本体の爪が弾性変形して開口部の回り止めの段差を乗り越え、キャップ本体が開口部から飛び出すようにしている。また、特許文献３では、封止部材が本体駆動部の孔に挿入された状態で、封止部材先端の解除部に本体駆動部側の押出し部材を進入させて、解除部を撓ませると、解除部と一体の爪部が内側に倒れて、爪部と本体駆動部側との係合が解除され、封止部材を本体駆動部の孔から取外すことが可能になる（特許文献３の図１８を参照）。
【先行技術文献】
【特許文献】
【０００６】
【特許文献１】特開２００１−１４４９０６号公報
【特許文献２】特開２０１０−２６１０８号公報
【特許文献３】特開２００２−３２７７７０号公報
【発明の概要】
【発明が解決しようとする課題】
【０００７】
しかしながら、特許文献２のキャップ本体に校正基準部材を取付ければ、キャップ本体と共に構成基準部材を着脱することが可能になると考えられるが、キャップ本体を回転させるための工具が必要である。
【０００８】
また、特許文献３の封止部材に校正基準部材を取付ければ、封止部材と共に構成基準部材を着脱することが可能になると考えられるが、本体駆動部側の押出し部材を移動させる駆動機構が必要である。
【０００９】
そこで、本発明は、上記従来の問題点に鑑みなされたものであり、校正基準部材を手作業で容易に着脱することが可能な画像読取り装置、及びそれを備えた画像形成装置を提供する。
【課題を解決するための手段】
【００１０】
上記課題を解決するために、本発明の画像読取り装置は、校正基準部材と、用紙上に形成されたテストチャート及び前記校正基準部材を読取る読取り部とを備えた画像読取り装置であって、回転される環状回転部と、前記校正基準部材を保持し、前記読取り部に対して接離方向に移動可能にかつ回転を禁止された状態で前記環状回転部の内側に配置され、付勢部材により前記読取り部に接近する方向に付勢された保持部とを備え、前記環状回転部の内側には、凸部が設けられ、前記保持部の外周には、前記環状回転部の回転方向に延在するガイド部、前記ガイド部の端に位置するストッパー、及び前記ガイド部及び前記ストッパーが存在しない空きスペースが設けられ、前記付勢部材により前記保持部が移動されて、前記凸部が前記ガイド部に当接した状態では、前記環状回転部の回転に伴い、前記凸部が前記ガイド部に摺接して前記ストッパーに突き当てられ、前記保持部が前記付勢部材の付勢力に抗して前記読取り部から離間する方向に移動され、前記凸部が前記ガイド部及び前記ストッパーから離間した状態では、前記環状回転部の回転に伴い、前記凸部が前記ストッパーを超えて前記空きスペースに移動される。
【００１１】
このような本発明の画像読取り装置では、保持部材は、校正基準部材を保持し、読取り部に対して接離方向に移動可能にかつ回転を禁止された状態で環状回転部の内側に配置され、付勢部材により読取り部に接近する方向に付勢されている。そして、付勢部材の付勢力により環状回転部の内側の凸部が保持部材の外周のガイド部に当接した状態では、環状回転部の回転に伴い、環状回転部の内側の凸部が保持部材の外周のガイド部に摺接してストッパーに突き当たる。これにより、環状回転部の内側で保持部材が案内されて位置決めされる。また、保持部が付勢部材の付勢力に抗して読取り部から離間する方向に移動され、環状回転部の内側の凸部が保持部材の外周のガイド部及びストッパーから離間した状態では、環状回転部の回転に伴い、環状回転部の内側の凸部が保持部材の外周のストッパーを超えて空きスペースに移動される。このとき、保持部が解放されると、付勢部材の付勢力により保持部が読取り部に接近する方向に移動され、環状回転部の内側の凸部が保持部材の外周の空きスペースを通過して、保持部が環状回転部から押出される。
【００１２】
従って、保持部材の移動と環状回転部の回転だけで、保持部材を環状回転部の内側から取外すことができ、また逆の手順で保持部材を環状回転部の内側に取付けることができ、保持部材並びに校正基準部材を手作業で容易に着脱することができる。
【００１３】
また、本発明の画像読取り装置においては、前記ガイド部は、前記環状回転部の回転方向及び前記接離方向に延在し、前記環状回転部の回転に伴い、前記凸部が前記ガイド部に摺接して、前記保持部が前記接離方向に移動される。
【００１４】
このように保持部の外周のガイド部が環状回転部の回転方向及び接離方向に延在する場合は、環状回転部の回転に伴い、環状回転部の内側の凸部が保持部の外周のガイド部に摺接して、保持部が読取り部に対して接離方向に移動され、校正基準部材も接離方向に移動される。
【００１５】
更に、本発明の画像読取り装置においては、前記テストチャートを前記読取り部へと搬送する用紙搬送部を備え、前記保持部及び前記校正基準部材は、前記テストチャートの搬送領域の外側であってかつ前記読取り部の読取り領域に配置されている。
【００１６】
この場合は、保持部及び校正基準部材がテストチャートに干渉することはなく、かつ読取り部による構成基準部材の読取りが可能になる。また、テストチャートの搬送領域には、用紙の紙粉が溜まり易いため、保持部及び校正基準部材をテストチャートの搬送領域の外に配置するのが望ましい。
【００１７】
また、本発明の画像読取り装置においては、前記保持部を前記接離方向に移動可能にかつ回転を禁止された状態で前記環状回転部の内側に支持する支持部を備え、前記付勢部材は、前記支持部と前記校正基準部材又は前記保持部との間に設けられて、前記校正基準部材を前記読取り部に接近する方向に付勢している。
【００１８】
このような構成により、校正基準部材を保持した保持部材が接離方向に移動可能にかつ回転を禁止された状態で支持される。また、付勢部材により校正基準部材をガタツキ無く支持することができる。
【００１９】
また、本発明の画像読取り装置においては、前記保持部は、前記校正基準部材を前記接離方向で挟み込んで支持する第１保持体及び第２保持体を有している。
【００２０】
この場合、第１及び第２保持体を離間させることにより校正基準部材のメンテナンスや交換等が可能になる。
【００２１】
次に、本発明の画像形成装置は、上記本発明の画像読取り装置と、用紙上にテストチャートを形成する画像形成部とを備え、前記読取り部は、前記画像形成部よりも前記用紙の搬送方向下流側に設けられている。
【００２２】
このような画像形成装置においては、画像形成部によりテストチャートが形成された用紙を画像読取り装置まで搬送して、読取り部によりテストチャートを読取ることができる。
【００２３】
また、本発明の画像読取り装置における校正基準部材の抜脱方法は、前記保持部を前記付勢部材の付勢力に抗して前記読取り部から離間する方向に移動させて、前記凸部が前記ガイド部及び前記ストッパーから離間した状態を設定するステップと、前記凸部が前記ストッパーを超えて前記空きスペースに移動するまで前記環状回転部を回転させるステップと、前記保持部を解放して、前記付勢部材の付勢力により前記保持部を前記読取り部に接近する方向に移動させ、前記凸部を前記空きスペースに通して、前記保持部を前記環状回転部から押出すステップとを有している。
【００２４】
このような本発明の脱抜方法によれば、保持部材の移動と環状回転部の回転だけで、保持部材を環状回転部の内側から取外すことができ、また逆の手順で保持部材を環状回転部の内側に取付けることができ、保持部材並びに校正基準部材を手作業で容易に着脱することができる。
【発明の効果】
【００２５】
本発明では、保持部材は、校正基準部材を保持し、読取り部に対して接離方向に移動可能にかつ回転を禁止された状態で環状回転部の内側に配置され、付勢部材により読取り部に接近する方向に付勢されている。そして、付勢部材の付勢力により環状回転部の内側の凸部が保持部材の外周のガイド部に当接した状態では、環状回転部の回転に伴い、環状回転部の内側の凸部が保持部材の外周のガイド部に摺接してストッパーに突き当たる。これにより、環状回転部の内側で保持部材が案内されて位置決めされる。また、保持部が付勢部材の付勢力に抗して読取り部から離間する方向に移動され、環状回転部の内側の凸部が保持部材の外周のガイド部及びストッパーから離間した状態では、環状回転部の回転に伴い、環状回転部の内側の凸部が保持部材の外周のストッパーを超えて空きスペースに移動される。このとき、保持部が解放されると、付勢部材の付勢力により保持部が読取り部に接近する方向に移動され、環状回転部の内側の凸部が保持部材の外周の空きスペースを通過して、保持部が環状回転部から押出される。
【００２６】
従って、保持部材の移動と環状回転部の回転だけで、保持部材を環状回転部の内側から取外すことができ、また逆の手順で保持部材を環状回転部の内側に取付けることができ、保持部材並びに校正基準部材を手作業で容易に着脱することができる。
【図面の簡単な説明】
【００２７】
【図１】本発明の画像形成装置の一実施形態を示す断面図である。
【図２】画像形成装置における読取り装置を概略的に示す斜視図である。
【図３】記録用紙上に形成されたテストチャートを例示する平面図である。
【図４】読取り装置におけるプレート、分光測色器、及び校正ユニット等を拡大して示す断面図であり、（ａ）は校正ユニットの校正基準部材が分光測色器から離間した退避位置に位置決めされた状態を示し、（ｂ）は校正基準部材が分光測色器に接近した読取り位置に位置決めされた状態を示す。
【図５】校正ユニットを上方から視て示す分解斜視図である。
【図６】校正ユニットの固定支持部、第１及び第２保持体、校正基準部材を下方から視て示す分解斜視図である。
【図７】校正ユニットを拡大して示す斜視図である。
【図８】（ａ）〜（ｅ）は、校正ユニットの円筒回転部を示す平面図、斜視図、側面図、側面図のＡ−Ａに沿う断面図、及び底面図である。
【図９】（ａ）〜（ｆ）は、校正ユニットの固定支持部を示す平面図、上方向から視て示す斜視図、斜視図の矢印方向Ｂから見て示す側面図、斜視図の矢印方向Ｃから見て示す側面図、底面図、及び下方向から視て示す斜視図である。
【図１０】（ａ）〜（ｆ）は、校正ユニットの第１保持体を示す平面図、上方向から視て示す斜視図、斜視図の矢印方向Ｂから見て示す側面図、斜視図の矢印方向Ｃから見て示す側面図、底面図、及び下方向から視て示す斜視図である。
【図１１】（ａ）〜（ｆ）は、校正ユニットの第２保持体を示す平面図、上方向から視て示す斜視図、斜視図の矢印方向Ｂから見て示す側面図、斜視図の矢印方向Ｃから見て示す側面図、底面図、及び下方向から視て示す斜視図である。
【図１２】（ａ）〜（ｄ）は、第１及び第２保持体の内側に固定支持部を差し込んで取付けて円筒回転部の内側にセットする手順を示す図である。
【図１３】校正基準部材、第１及び第２保持体、固定支持部、及びコイルバネを組み立てた状態を示す斜視図である。
【図１４】円筒回転部、シャッター板、レバー、及びソレノイドを下方から視て模式的に示す図であり、（ａ）はソレノイドが消勢されてシャッター板が閉じられた状態を示し、（ｂ）はソレノイドが付勢されてシャッター板が開かれた状態を示している。
【図１５】（ａ）〜（ｃ）は、円筒回転部と第１及び第２保持体との係合状態及び動作を示す図である。
【発明を実施するための形態】
【００２８】
以下、本発明の実施形態を添付図面を参照して詳細に説明する。
【００２９】
図１は、本発明の画像形成装置の一実施形態を示す断面図である。図１において、画像形成装置Ｐｓは、画像形成ユニット１、中継ユニット３、後処理ユニット４、及び読取りユニット５を備えている。画像形成ユニット１は、原稿の画像を記録用紙に記録形成し、画像が記録された記録用紙を中継ユニット３に搬出する。中継ユニット３は、記録用紙を画像形成ユニット１から受け取ると、記録用紙に対して樹脂コーティング（光沢処理）を施すことなく、記録用紙の中継搬送のみを行って、記録用紙を後処理ユニット４又は読取りユニット５に搬出するか、あるいは記録用紙に対して樹脂コーティング（光沢処理）を施した後に、記録用紙を後処理ユニット４に搬出する。後処理ユニット４は、記録用紙を中継ユニット３から受け取ると、記録用紙をそのまま排出するか、あるいは記録用紙に対してステープル等の後処理を施した後に、記録用紙を排出する。読取りユニット５は、画像形成装置Ｐｓによりテストチャートが印刷された記録用紙を中継ユニット３から受け取り、記録用紙上のテストチャートを読取る。
【００３０】
次に、画像形成ユニット１の概略構成を説明する。まず、画像形成ユニット１において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。このため、現像装置１２、感光体ドラム１３、ドラムクリーニング装置１４、及び帯電器１５は、各色に応じた４種類のトナー像を形成するためにそれぞれ４個ずつ設けられ、それぞれがブラック、シアン、マゼンタ、及びイエローに対応付けられて、４つの画像ステーションＰａ、Ｐｂ、Ｐｃ、Ｐｄが構成されている。
【００３１】
各画像ステーションＰａ、Ｐｂ、Ｐｃ、Ｐｄのいずれにおいても、ドラムクリーニング装置１４により感光体ドラム１３表面の残留トナーを除去及び回収した後、帯電器１５により感光体ドラム１３の表面を所定の電位に均一に帯電させ、光走査装置１１により感光体ドラム１３表面を露光して、その表面に静電潜像を形成し、現像装置１２により感光体ドラム１３表面の静電潜像を現像して、感光体ドラム１３表面にトナー像を形成する。これにより、各感光体ドラム１３表面に各色のトナー像が形成される。
【００３２】
引き続いて、中間転写ベルト２１を矢印方向に周回移動させつつ、ベルトクリーニング装置２５により中間転写ベルト２１の残留トナーを除去及び回収した後、各感光体ドラム１３表面に各色のトナー像を中間転写ベルト２１に順次転写して重ね合わせ、中間転写ベルト２１上にカラーのトナー像を形成する。
【００３３】
中間転写ベルト２１と２次転写装置２６の転写ローラ２６ａ間にはニップ域が形成されており、用紙搬送経路Ｒ１を通じて搬送されて来た記録用紙をそのニップ域に挟み込んで搬送しつつ、中間転写ベルト２１表面のカラーのトナー像を記録用紙上に転写する。そして、定着装置１７の加熱ローラ３１と加圧ローラ３２との間に記録用紙を挟み込んで加熱及び加圧し、記録用紙上のカラーのトナー像を定着させる。
【００３４】
一方、記録用紙は、ピックアップローラ３３により給紙カセット１８から引出されて、Ｓ字状の用紙搬送経路Ｒ１を通じて搬送され、２次転写装置２６や定着装置１７を経由し、排紙ローラ３６を介して中継ユニット３へと搬出される。この用紙搬送経路Ｒ１には、記録用紙を一旦停止させて、記録用紙の先端を揃えた後、中間転写ベルト２１と転写ローラ２６ａ間のニップ域でのカラーのトナー像の転写タイミングに合わせて記録用紙の搬送を開始する一組のレジストローラ３４、記録用紙の搬送を促す複数組の搬送ローラ３５、一組の排紙ローラ３６等が配置されている。
【００３５】
また、記録用紙の表面だけではなく、裏面の印字を行う場合は、記録用紙を各排紙ローラ３６から反転経路Ｒｒへと逆方向に搬送して、記録用紙の表裏を反転させ、記録用紙を各レジストローラ３４へと再度導き、記録用紙の表面と同様に、記録用紙の裏面に画像を記録して定着し、記録用紙を中継ユニット３へと搬出する。
【００３６】
次に、中継ユニット３では、直線状のスルー搬送経路Ｒ３、Ｕ字状の引込み搬送経路Ｒ４、読取りユニット５に通じる分岐搬送経路Ｒ５、スルー搬送経路Ｒ３の用紙出入り口に設けられた一組の搬入ローラ４２及び一組の搬出ローラ４３、スルー搬送経路Ｒ３及び引込み搬送経路Ｒ４に沿って配置された複数組の搬送ローラ４４、各搬送経路Ｒ３、Ｒ４の分岐位置に配置されたフラッパー４５、各搬送経路Ｒ３、Ｒ５の分岐位置に配置されたフラッパー４７、及び引込み搬送経路Ｒ４に設けられた２台のフィルムコーティング装置４６等を備え、記録用紙に対して樹脂コーティング（光沢処理）を施すときと、それ以外のときとで記録用紙の搬送経路を切替えている。
【００３７】
次に、後処理ユニット４では、排出搬送経路Ｒ６、排出搬送経路Ｒ６から分岐したステープル搬送経路Ｒ７、排出搬送経路Ｒ６の用紙入り口に設けられた一組の搬入ローラ５１、各搬送経路Ｒ６、Ｒ７の用紙出口に設けられた二組の排出ローラ５２と２つの排紙トレイ５３、５４、各搬送経路Ｒ６、Ｒ７に沿って配置された複数組の搬送ローラ５５、各搬送経路Ｒ６、Ｒ７の分岐位置に配置されたフラッパー５６、及びステープル搬送経路Ｒ７に設けられたステープル装置５７を備え、記録用紙に対して後処理を施すときと施さないときとで記録用紙の搬送経路を適宜切替えている。
【００３８】
次に、読取りユニット５は、中継ユニット３の上側に搭載されており、２つの搬送経路Ｒ８、Ｒ９、各搬送経路Ｒ８、Ｒ９に沿って配置された複数組の搬送ローラ６４、記録用紙上のテストチャートを読取る読取り装置６１、及び排紙トレイ６２を備えている。
【００３９】
読取りユニット５では、画像形成ユニット１により予め設定されたテストチャートが記録用紙に印刷されたときに、この記録用紙を画像形成ユニット１から中継ユニット３を介して受け取る。この記録用紙は、中継ユニット３の各搬送ローラ４４を通じて搬送経路Ｒ８へと搬入され、搬送経路Ｒ８を通じて読取り装置６１へと搬送され、更に搬送経路Ｒ９及び各排出ローラ６３を通じて排紙トレイ６２へと排出される。読取り装置６１は、記録用紙の通過に際し、記録用紙上のテストチャートを読取って、テストチャートを示す画像データを出力する。このテストチャートを示す画像データは、画像形成装置Ｐｓの画像処理部（図示せず）に入力され、この画像処理部において、テストチャートに基づき画像形成ユニット１により記録用紙上に形成される画像が校正される。例えば、画像のカラーバランス、画像濃度、諧調等が校正される。
【００４０】
ところで、読取りユニット５の読取り装置６１は、記録用紙上のテストチャートの各色を高精度で分析して読取る分光測色器を備えている。また、分光測色器としては、白色乃至灰色の校正基準部材を読取って、この校正基準部材の読取りデータに基づき分光測色器のキャリブレーションを行い、テストチャートの各色の読取り精度を高めるものがある。本実施形態では、そのような校正基準部材を読取って、テストチャートの各色の読取り精度を高めることが可能な分光測色器を適用している。
【００４１】
しかしながら、紙粉や埃等の付着により校正基準部材が汚れると、キャリブレーションの精度が低下することから、校正基準部材のクリーニングが必要なことがある。また、分光測色器と校正基準部材との組み合わせを変更することができず、分光測色器を交換するときには校正基準部材も交換する必要がある。このため、校正基準部材を容易に着脱できるのが望ましい。
【００４２】
そこで、本実施形態の画像形成装置Ｐｓの読取り装置６１では、簡単な手作業により校正基準部材を容易に着脱できるようにしている。
【００４３】
次に、そのような読取り装置６１における分光測色器及び校正基準部材等からなる構成を詳しく説明する。まず、読取り装置６１の概略構成を説明する。図２は、読取り装置６１を示す斜視図である。図２に示すように読取り装置６１は、主走査方向Ｘに延在するガイドプレート７１、ガイドプレート７１上に配置された分光測色器７２、分光測色器７２を主走査方向Ｘに案内するガイドシャフト７３、ガイドプレート７１の両端部上方に設けられた一対のプーリ７４ａ、７４ｂ、一方のプーリ７４ａを回転駆動する駆動モータ７５、各プーリ７４ａ、７４ｂに架け渡された無端状ベルト７６、及びガイドプレート７１の片端部に設けられて、校正基準部材を内蔵する校正ユニット７７等を備えている。
【００４４】
ガイドプレート７１は、その上面が平坦面である。分光測色器７２は、その本体の両端部に回転自在に支持された一組のローラ８１を有しており、各ローラ８１がガイドプレート７１の平坦面に載せられる。また、分光測色器７２の本体の後端には、被ガイド部８２が設けられており、この被ガイド部８２の孔にガイドシャフト７３が主走査方向Ｘに挿通されて、ガイドシャフト７３により分光測色器７２が主走査方向Ｘに案内される。更に、無端状ベルト７６の一部が分光測色器７２の被ガイド部８２に固定されている。
【００４５】
ここで、駆動モータ７５により一方のプーリ７４ａが回転駆動されると、無端状ベルト７６が周回移動し、他方のプーリ７４ｂが従動回転し、無端状ベルト７６に接続された分光測色器７２の本体が主走査方向Ｘに移動され、分光測色器７２の各ローラ８１がガイドプレート７１上で転がって、ガイドシャフト７３により分光測色器７２が主走査方向Ｘに案内される。駆動モータ７５により回転駆動される一方のプーリ７４ａの回転方向及び回転角度は、分光測色器７２の移動方向及び移動位置に対応し、駆動モータ７５を制御することにより分光測色器７２をガイドプレート７１上で主走査方向Ｘに往復移動させて、分光測色器７２の移動方向及び移動位置を制御することができる。
【００４６】
また、読取りユニット５では、複数組の搬送ローラ６４により、記録用紙が搬送経路Ｒ８→読取り装置６１→搬送経路Ｒ９→排紙トレイ６２という順で副走査方向Ｙに搬送される。そして、読取り装置６１においては、記録用紙がガイドプレート７１と分光測色器７２との間を通過する。この記録用紙の通過に際しては、ガイドプレート７１が一時的に僅かに下降されて、分光測色器７２の各ローラ８１とガイドプレート７１との間に隙間が形成され、記録用紙が一定長さだけ搬送されて停止され、ガイドプレート７１が元の高さまで上昇されて、分光測色器７２の各ローラ８１がガイドプレート７１上に載せられ、このような記録用紙の搬送が一定長さずつ間欠的に行われる。そして、記録用紙が停止される度に、分光測色器７２がガイドプレート７１上で主走査方向Ｘに往復移動されて、分光測色器７２により記録用紙上のテストチャートが読取られ、分光測色器７２により記録用紙上のテストチャートが主走査方向Ｘに繰り返し読取られる。図３は、記録用紙上に形成されたテストチャートＴを例示する平面図である。
【００４７】
一方、校正ユニット７７は、ガイドプレート７１の片端部であって、主走査方向Ｘにおける記録用紙の搬送領域Ｍ１の外側に配置されている。このため、校正ユニット７７がガイドプレート７１と分光測色器７２との間を通過する記録用紙に干渉することはなく、校正ユニット７７が記録用紙の搬送を阻害することもない。また、記録用紙の搬送領域Ｍ１には紙粉が溜まり易いので、紙粉の影響を軽減するべく、校正ユニット７７を搬送領域Ｍ１の外側に配置している。
【００４８】
また、校正ユニット７７は、主走査方向Ｘにおける分光測色器７２の移動領域（読取り領域）Ｍ２の内側に配置されている。分光測色器７２の移動領域Ｍ２は、記録用紙の搬送領域Ｍ１と校正ユニット７７の配置部位を含む領域である。駆動モータ７５の制御により分光測色器７２が記録用紙の搬送領域Ｍ１で主走査方向Ｘに往復移動されているときに、分光測色器７２により記録用紙のテストチャートが読取られ、駆動モータ７５の制御により分光測色器７２が校正ユニット７７の配置部位に移動されて位置決めされているときに、分光測色器７２により校正ユニット７７に内蔵の校正基準部材が読取られる。
【００４９】
図４（ａ）、（ｂ）は、ガイドプレート７１、分光測色器７２、及び校正ユニット７７を副走査方向Ｙに視て拡大して示す断面図であって、分光測色器７２が校正ユニット７７の配置部位に移動されて位置決めされた状態を示している。図４（ａ）、（ｂ）に示すように校正ユニット７７は、校正基準部材７８、校正基準部材７８を保持する保持部９３、保持部９３を支持する固定支持部９４、校正基準部材７８と固定支持部９４との間に挿入されたコイルバネ９５、保持部９３や固定支持部９４等を収容した円筒回転部９６、円筒回転部９６の上側に配置されたシャッター板９７、レバー９８、及びソレノイド９９等を備えている。保持部９３は、校正基準部材７８を挟み込んで支持する第１保持体９１と第２保持体９２とからなる。
【００５０】
図４（ａ）に示すように校正基準部材７８が分光測色器７２の検出面７２ａから離間した退避位置に位置決めされているときには、分光測色器７２の検出面７２ａと保持部９３並びに校正基準部材７８との隙間が広く開き、シャッター板９７がその隙間に挿入されて閉じられる。この状態では、シャッター板９７により分光測色器７２の検出面７２ａが覆われ、検出面７２ａが汚れることはない。
【００５１】
また、図４（ｂ）に示すようにシャッター板９７が分光測色器７２の検出面７２ａと保持部９３並びに校正基準部材７８との間から出されて開かれたときには、保持部９３が上方に移動して、校正基準部材７８が分光測色器７２の検出面７２ａに接近した読取り位置（ガイドプレート７１上の記録用紙と同一位置）に位置決めされる。この状態では、分光測色器７２による校正基準部材７８の読取り精度が高くなる。
【００５２】
図４（ａ）の状態では、シャッター板９７の上面は、ガイドプレート７１の上面と同一高さにあって、それらの間に段差がなく、分光測色器７２の各ローラ８１がガイドプレート７１とシャッター板９７の間を滑らかに通過し得るようにされている。この状態で、分光測色器７２が記録用紙の搬送領域Ｍ１から校正ユニット７７の配置部位へと移動され、分光測色器７２が校正ユニット７７の配置部位に位置決めされた後に、図４（ｂ）の状態が設定されて、分光測色器７２による校正ユニット７７の読取りが行われる。
【００５３】
また、後で詳しく述べるようにソレノイド９９によりレバー９８が往復回転され、レバー９８の往復回転に連動して円筒回転部９６が往復回転し、円筒回転部９６の往復回転に連動して保持部９３が上下方向に移動しかつシャッター板９７が開閉される。従って、図４（ａ）、（ｂ）に示すような保持部９３の上下方向の移動とシャッター板９７の開閉動作とが互いに連動する。
【００５４】
次に、校正ユニット７７の構造の概略を説明する。図５は、校正基準部材７８、第１保持体９１、第２保持体９２、固定支持部９４、コイルバネ９５、円筒回転部９６、及びシャッター板９７等を上方から視て示す分解斜視図である。また、図６は、固定支持部９４、コイルバネ９５、第１保持体９１、第２保持体９２、及び校正基準部材７８を下方から視て示す分解斜視図である。更に、図７は、校正ユニット７７を拡大して示す斜視図である。
【００５５】
図５乃至図７において、支持板１０１は、ガイドプレート７１（図２及び図４に示す）の下側に重ねられて固定され、校正ユニット７７を支持するものである。支持板１０１には、半円支柱１０２及び円支柱１０３が突設されている。半円支柱１０２は、支持板１０１の上面側で、校正基準部材７８、保持部９３（第１保持体９１、第２保持体９２）、固定支持部９４、コイルバネ９５、及び円筒回転部９６を支持している。円筒回転部９６は、半円支柱１０２を中心にして回転自在に支持されており、円筒回転部９６の底板に突設された柱状体９６ｈが支持板１０１に形成された円弧状孔１０１ａを貫通している。また、固定支持部９４は、円筒回転部９６の内側で半円支柱１０２により固定されている。更に、保持部９３は、概ね、円筒回転部９６と固定支持部９４との間に挟まれて、上下方向に移動可能にかつ回転を禁止された状態で支持されている。
【００５６】
校正基準部材７８は、基準色（例えば白色）のグレーパッチ７８ａと、グレーパッチ７８ａを保護する枠部材７８ｂとからなり、第１保持体９１と第２保持体９２との間に挟み込まれて保持されている。コイルバネ９５は、圧縮された状態で、固定支持部９４の底面と校正基準部材７８の下面との間に挟み込まれて、校正基準部材７８を上方向に付勢している。
【００５７】
円支柱１０３は、支持板１０１の上面側で、シャッター板９７の円筒部９７ａに通されて、シャッター板９７を円支柱１０３を中心にして回転自在に支持している。また、円支柱１０３は、支持板１０１の下面側で、レバー９８の端部に形成された孔（図示せず）に通されて、レバー９８を円支柱１０３を中心にして回転自在に支持している。
【００５８】
支持板１０１の下面には、ソレノイド９９が固定されており、ソレノイド９９のプランジャー９９ａがレバー９８に係合し、レバー９８が円筒回転部９６の柱状体９６ｈに係合している。
【００５９】
次に、校正ユニット７７の詳細構造を説明する。まず、円筒回転部９６、固定支持部９４、及び保持部９３（第１保持体９１、第２保持体９２）の形状を逐次説明する。
【００６０】
図８（ａ）〜（ｅ）は、円筒回転部９６を示す平面図、斜視図、側面図、側面図のＡ−Ａに沿う断面図、及び底面図である。図８（ａ）〜（ｅ）に示すように円筒回転部９６は、円筒側壁９６ａ、円筒側壁９６ａの上端に設けられた鍔９６ｂ、及び円板状の底板９６ｃを有している。円筒側壁９６ａの内側上部には、一対の凸部９６ｄが形成されており、各凸部９６ｄが円筒側壁９６ａの直径中心を介して互い対向する位置に設けられている。各凸部９６ｄの内側面は、外側に凹む湾曲面となっており、各凸部９６ｄの湾曲面が仮想円Ｑ６に重なる。
【００６１】
鍔９６ｂには、上方向に突出する突起９６ｅが形成されている。突起９６ｅは、各凸部９６ｄを結ぶ円筒側壁９６ａの内面に沿った円弧の概ね中央に位置する。また、底板９６ｃには、図７（ａ）に示すように平面視すると、各凸部９６ｄに重なるそれぞれの位置に成形孔９６ｆが形成されている。更に、底板９６ｃの中央には、円筒軸９６ｇが形成され、底板９６ｃの下面には、柱状体９６ｈが突設されている。
【００６２】
図９（ａ）〜（ｆ）は、固定支持部９４を示す平面図、上方向から視て示す斜視図、（ｂ）の矢印方向Ｂから見て示す側面図、（ｂ）の矢印方向Ｃから見て示す側面図、底面図、及び下方向から視て示す斜視図である。図９（ａ）〜（ｆ）に示すように固定支持部９４は、円筒側壁９４ａ及び円板状の底板９４ｂを有している。円筒側壁９４ａには、一対のガイド溝９４ｃが上下方向に形成されており、各ガイド溝９４ｃが円筒側壁９４ａの直径中心を介して互い対向する位置に設けられている。また、円筒側壁９４ａには、一組のガイド溝９４ｄとスリット９４ｅが上下方向に形成されて、これらのガイド溝９４ｄとスリット９４ｅとの間に弾性柱９４ｆが形成され、同様に他の一組のガイド溝９４ｄとスリット９４ｅが上下方向に形成されて、これらのガイド溝９４ｄとスリット９４ｅとの間に他の弾性柱９４ｆが形成されている。各弾性柱９４ｆは、円筒側壁９４ａの直径中心を介して互い対向する位置に設けられている。また、各弾性柱９４ｆの上端には、外側に突出する爪９４ｇが形成されている。
【００６３】
底板９４ｂの中央には、半円孔９４ｈが形成され、底板９４ｂの下面には、半円孔９４ｈと同芯状に環状凹所９４ｉが形成されている。
【００６４】
図１０（ａ）〜（ｆ）は、第１保持体９１を示す平面図、上方向から視て示す斜視図、（ｂ）の矢印方向Ｂから見て示す側面図、（ｂ）の矢印方向Ｃから見て示す側面図、底面図、及び下方向から視て示す斜視図である。図１０（ａ）〜（ｆ）に示すように第１保持体９１は、円筒側壁９１ａを有している。円筒側壁９１ａの内径φ１は、固定支持部９４の円筒側壁９４ａの外径φ４（図９（ｅ）に示す）よりも僅かに大きくされており、円筒側壁９１ａの内側に固定支持部９４を差し込むことが可能である。
【００６５】
円筒側壁９１ａの周面には、一対のＬ字形凹部９１ｂが形成されており、各Ｌ字形凹部９１ｂが円筒側壁９１ａの直径中心を介して互い対向する位置に設けられている。各Ｌ字形凹部９１ｂの上側開口箇所の幅Ｗ１は、円筒回転部９６の各凸部９６ｄの幅Ｗ６（図８（ａ）に示す）よりも広くされており、円筒回転部９６の各凸部９６ｄを各Ｌ字形凹部９１ｂに上下方向に通すことが可能である。また、各Ｌ字形凹部９１ｂの内側には、切欠部９１ｊが形成されている。
【００６６】
円筒側壁９１ａには、一対の上段面９１ｃ、一対の傾斜面９１ｄ、一対の中段面９１ｅ、及び一対のストッパー９１ｆが形成されており、各上段面９１ｃ、各傾斜面９１ｄ、各中段面９１ｅ、及び各ストッパー９１ｆが円筒側壁９１ａの直径中心を介してそれぞれ互い対向している。また、各ストッパー９１ｆの内側には、一対のガイド凸部９１ｇが上下方向に長く形成されている。各ガイド凸部９１ｇの上端は、各上段面９１ｃ及び各ストッパー９１ｆよりも上方に突出している。また、円筒側壁９１ａの内側であって各中段面９１ｅの下側部位には、一対の係合凸部９１ｈが形成されており、各係合凸部９１ｈが円筒側壁９１ａの直径中心を介して互い対向している。
【００６７】
図１１（ａ）〜（ｆ）は、第２保持体９２を示す平面図、上方向から視て示す斜視図、（ｂ）の矢印方向Ｂから見て示す側面図、（ｂ）の矢印方向Ｃから見て示す側面図、底面図、及び下方向から視て示す斜視図である。図１１（ａ）〜（ｆ）に示すように第２保持体９２は、円筒側壁９２ａ及び蓋体９２ｂを有している。円筒側壁９２ａの内径φ２１は、第１保持体９１の円筒側壁９１ａの内径φ１と同一であって、円筒側壁９２ａの内側に固定支持部９４を差し込むことが可能である。
【００６８】
円筒側壁９２ａには、一対の矩形切欠部９２ｃが形成されており、各矩形切欠部９２ｃが円筒側壁９２ａの直径中心を介して互いに対向する位置に設けられている。また、円筒側壁９２ａの外側には、一方の矩形切欠部９２ｃから他方の矩形切欠部９２ｃの近傍に及ぶガイド部９２ｄ、及び他方の矩形切欠部９２ｃから一方の矩形切欠部９２ｃの近傍に及ぶガイド部９２ｄが形成されており、各ガイド部９２ｄが円筒側壁９２ａの直径中心を介して互いに対向する位置に設けられている。各ガイド部９２ｄの上側には、各上段ガイド面９２ｅ、各傾斜ガイド面９２ｆ、及び各下段ガイド面９２ｇが形成され、また各ガイド部９２ｄの下側には、各上段当接面９２ｈ、各傾斜当接面９２ｉ、及び各下段当接面９２ｊが形成されている。更に、円筒側壁９２ａの外側下端であって各ガイド部９２ｄの一端と各矩形切欠部９２ｃとの間の部位には、それぞれのストッパー９２ｋが形成されている。
【００６９】
円筒側壁９２ａの外径φ２２は、円筒回転部９６の各凸部９６ｄの湾曲面の離間距離（図８（ａ）に示す仮想円Ｑ６の内径に等しい）よりも僅かに小さくされており、円筒側壁９２ａを円筒回転部９６の各凸部９６ｄの間に配置することが可能である。また、各ガイド部９２ｄの外側輪郭が仮想円Ｑ２に重なるとすると、仮想円Ｑ２の直径が円筒回転部９６の円筒側壁９６ａの内径よりも僅かに小さくされており、各ガイド部９２ｄを円筒側壁９２ａの内側に配置することが可能である。
【００７０】
円筒側壁９２ａの内側には、各係合凸部９２ｍが上下方向に長く形成されており、各係合凸部９２ｍが円筒側壁９２ａの直径中心を介して互いに対向する位置に設けられている。また、蓋体９２ｂの中央には、円形開口部９２ｎが形成されている。
【００７１】
このような保持部９３（第１保持体９１、第２保持体９２）、固定支持部９４、及び円筒回転部９６等の組み立ては、次のような手順で行われる。
【００７２】
まず、図４乃至図７に示すように円筒回転部９６の円筒軸９６ｇの孔に支持板１０１に突設された半円支柱１０２を挿し通し、円筒回転部９６の底板９６ｃに突設された柱状体９６ｈを支持板１０１の円弧状孔１０１ａに差し入れて、円筒回転部９６を支持板１０１上に載せる。そして、固定支持部９４の半円孔９４ｈに支持板１０１の半円支柱１０２を挿し通して、固定支持部９４を半円支柱１０２に固定する。同時に、固定支持部９４の底板９４ｂの環状凹所９４ｉに円筒回転部９６の円筒軸９６ｇを回転自在に差し入れて、固定支持部９４の底板９４ｂと支持板１０１との間に円筒回転部９６の底板９６ｃを挟み込んで支持する。
【００７３】
この状態では、固定支持部９４が支持板１０１上で上下方向にも回転方向にも移動せず固定される。また、円筒回転部９６の底板９６ｃが固定支持部９４の底板９４ｂと支持板１０１との間に挟み込まれていることから、円筒回転部９６の上下方向の移動が禁止される。更に、円筒回転部９６の円筒軸９６ｇが固定支持部９４の底板９４ｂの環状凹所９４ｉに回転自在に差し入れられていることから、円筒回転部９６が半円支柱１０２を中心にして回転自在に支持される。円筒回転部９６の回転に伴い、円筒回転部９６の柱状体９６ｈが支持板１０１の円弧状孔１０１ａの内側で回転移動する。
【００７４】
一方、図５及び図６に示すように校正基準部材７８を第２保持体９２の下側開口部から挿入し、校正基準部材７８の枠部材７８ｂの周縁に形成された各切欠部７８ｃに第２保持体９２の各係合凸部９２ｍを挿し入れて、枠部材７８ｂを第２保持体９２の蓋体９２ｂの下面に重ね合わせる。
【００７５】
そして、第２保持体９２の各ストッパー９２ｋを第１保持体９１の各切欠部９１ｊに挿入して、第２保持体９２の各ガイド部９２ｄの各上段当接面９２ｈ、各傾斜当接面９２ｉ、及び各下段当接面９２ｊを第１保持体９１の各上段面９１ｃ、各傾斜面９１ｄ、及び各中段面９１ｅに重ね合わせつつ、第２保持体９２の各ストッパー９２ｋが第１保持体９１の各切欠部９１ｊの終端９１ｉに当接しかつ第２保持体９２の各ガイド部９２ｄの端部が第１保持体９１のストッパー９１ｆに当接するまで第２保持体９２を回転させる。これにより、第２保持体９２の各ストッパー９２ｋが第１保持体９１の各切欠部９１ｊに係合し、第１及び第２保持体９１、９２が互いに一体化して、保持部９３が形成される。
【００７６】
この状態では、第１保持体９１の各ガイド凸部９１ｇの上端と第２保持体９２の蓋体９２ｂとの間に校正基準部材７８の枠部材７８ｂが挟み込まれて、校正基準部材７８が保持される。また、校正基準部材７８の枠部材７８ｂの各切欠部７８ｃと第２保持体９２の内側の各係合凸部９２ｍとが係合して、校正基準部材７８の回転が禁止される。更に、第１保持体９１の各係合凸部９１ｈと第２保持体９２の各係合凸部９２ｍとが上下方向で直線状に並ぶ。また、第１保持体９１の各切欠部９１ｊの一端９１ｋと第２保持体９２の各矩形切欠部９２ｃの一端９２ｐとの間にそれぞれのスペースＳ（図１３に示す）が形成される。更に、第１保持体９１の各Ｌ字形凹部９１ｂにおいては、保持部９３の外周を上下方向に通るそれぞれの空きスペースが形成される。
【００７７】
引き続いて、シャッター板９７が開かれた状態で、図１２（ａ）〜（ｄ）に示す手順に従って第１及び第２保持体９１、９２の内側に固定支持部９４を差し込んで取付け、第１及び第２保持体９１、９２を円筒回転部９６の内側にセットする。
【００７８】
まず、図１２（ａ）に示すようにコイルバネ９５を固定支持部９４の底板９４ｂに載せ、第１及び第２保持体９１、９２の内側にコイルバネ９５を入れて、第１及び第２保持体９１、９２を下方に押し下げる。このとき、円筒回転部９６の円筒側壁９６ａ内側の各凸部９６ｄを第１保持体９１の各Ｌ字形凹部９１ｂの空きスペースに通し、同時に図５及び図６に示すように第１保持体９１の各ガイド凸部９１ｇを固定支持部９４の各ガイド溝９４ｄに挿入しかつ第１保持体９１の各係合凸部９１ｈ並びに第２保持体９２の各係合凸部９２ｍを固定支持部９４の各ガイド溝９４ｃに挿入して、第１及び第２保持体９１、９２の内側に固定支持部９４を差し入れる。これに伴い、図１２（ｂ）に示すように校正基準部材７８と固定支持部９４の底板９４ｂとの間にコイルバネ９５が挟み込まれて圧縮される。また、固定支持部９４の各弾性柱９４ｆの爪９４ｇが第１保持体９１の円筒側壁９１ａの内壁に圧接して、各弾性柱９４ｆが内側向きに弾性変形する。
【００７９】
そして、第１及び第２保持体９１、９２を更に下方に押し下げて行くと、固定支持部９４の各弾性柱９４ｆの爪９４ｇがそれぞれのスペースＳ（図１３に示す）まで移動し、各弾性柱９４ｆの爪９４ｇがそれぞれのスペースＳで外側に突出して、各弾性柱９４ｆが元の形状に復帰し、各弾性柱９４ｆの爪９４ｇが第１保持体９１の各切欠部９１ｊの下端９１ｍに引っ掛かり、第１及び第２保持体９１、９２が固定支持部９４に取付けられる。
【００８０】
図１３は、校正基準部材７８、第１及び第２保持体９１、９２、固定支持部９４、及びコイルバネ９５を組み立てた状態を示す斜視図である。図１３に示すように第２保持体９２の各上段当接面９２ｈ、各傾斜当接面９２ｉ、及び各下段当接面９２ｊが第１保持体９１の各上段面９１ｃ、各傾斜面９１ｄ、及び各中段面９１ｅに重ね合わされ、第２保持体９２の各ストッパー９２ｋが第１保持体９１の各切欠部９１ｊに係合し、第１及び第２保持体９１、９２が互いに一体化して、保持部９３が形成されている。また、固定支持部９４の各弾性柱９４ｆの爪９４ｇがそれぞれのスペースＳで外側に突出して、各弾性柱９４ｆの爪９４ｇが第１保持体９１の各切欠部９１ｊの下端９１ｍに引っ掛かって、第１及び第２保持体９１、９２が固定支持部９４に取付けられている。更に、校正基準部材７８のグレーパッチ７８ａが第２保持体９２の蓋体９２ｂの円形開口部９２ｎを通じて露呈している。
【００８１】
この状態では、固定支持部９４の各弾性柱９４ｆの爪９４ｇが第１保持体９１の各切欠部９１ｊの下端９１ｍに引っ掛かることから、第１及び第２保持体９１、９２が固定支持部９４から外れることはない。また、コイルバネ９５が圧縮され、コイルバネ９５の付勢力により校正基準部材７８が上方向に付勢されて、校正基準部材７８の枠部材７８ｂが第２保持体９２の蓋体９２ｂに当接し、校正基準部材７８がガタツキ無く支持される。更に、第１保持体９１の各ガイド凸部９１ｇが固定支持部９４の各ガイド溝９４ｄに挿入されかつ第１保持体９１の各係合凸部９１ｈ並びに第２保持体９２の各係合凸部９２ｍが固定支持部９４の各ガイド溝９４ｃに挿入されているので、第１及び第２保持体９１、９２が上下方向に移動可能にかつ回転を禁止された状態で支持される。
【００８２】
引き続き、そのような固定支持部９４に対する第１及び第２保持体９１、９２の取付けに際しては、図１２（ｂ）に示すように第１保持体９１の各ストッパー９１ｆの上端が円筒回転部９６の各凸部９６ｄの下方まで移動されるので、図１２（ｃ）に示すように円筒回転部９６の各凸部９６ｄが各ストッパー９１ｆの上端を越えて第２保持体９２の各下段ガイド面９２ｇの上方に移動するまで円筒回転部９６を回転させる。そして、図１２（ｄ）に示すように第１及び第２保持体９１、９２を解放すると、コイルバネ９５の付勢力により校正基準部材７８と第１及び第２保持体９１、９２が上方向に移動されて、第２保持体９２の各下段ガイド面９２ｇが円筒回転部９６の各凸部９６ｄに当接する。これにより、第１及び第２保持体９１、９２が円筒回転部９６の内側にセットされる。
【００８３】
このようにシャッター板９７が開かれた状態で、コイルバネ９５を固定支持部９４の底板９４ｂに載せ、第１及び第２保持体９１、９２を押し下げて、第１及び第２保持体９１、９２の内側に固定支持部９４を差し込み、円筒回転部９６を回転させてから、第１及び第２保持体９１、９２を解放すると、第１及び第２保持体９１、９２が円筒回転部９６の内側にセットされる。
【００８４】
尚、図１２（ａ）〜（ｄ）に示す手順で第１及び第２保持体９１、９２を取付けると、図１２（ｄ）及び図４（ｂ）に示すよう校正基準部材７８が分光測色器７２の検出面７２ａに接近した読取り位置に位置決めされる。
【００８５】
次に、円筒回転部９６、シャッター板９７、レバー９８、及びソレノイド９９の係合状態と動作について説明する。
【００８６】
図１４（ａ）は、円筒回転部９６、シャッター板９７、レバー９８、及びソレノイド９９を下方から視て模式的に示す図である。図１４（ａ）に示すようにソレノイド９９が支持板１０１（図７に示す）の下面に固定され、また支持板１０１の下面側でレバー９８が円支柱１０３を中心にして回転自在に支持され、更に支持板１０１の上面側でシャッター板９７の円筒部９７ａに円支柱１０３が通されて、シャッター板９７が円支柱１０３を中心にして回転自在に支持され、更に支持板１０１の上面側で円筒回転部９６が半円支柱１０２を中心にして回転自在に支持され、円筒回転部９６の底板９６ｃに突設された柱状体９６ｈが支持板１０１の円弧状孔１０１ａ（図５に示す）を通じて下方に突出している。
【００８７】
また、支持板１０１の上面側でキックバネ１０４の両端がシャッター板９７の円筒部９７ａと支持板１０１とに係合されて、キックバネ１０４によりシャッター板９７が円支柱１０３を中心にして回転方向Ｄに付勢されている。更に、支持板１０１の下面側でキックバネ１０５の両端が円筒回転部９６の柱状体９６ｈと半円支柱１０２とに係合されて、キックバネ１０５により円筒回転部９６が半円支柱１０２を中心にして回転方向Ｅに付勢されている。
【００８８】
また、ピン１０６がソレノイド９９のプランジャー９９ａの先端部とレバー９８の中央付近とを貫通して、プランジャー９９ａとレバー９８とが係合している。
【００８９】
ここで、ソレノイド９９が消勢されたときには、図１４（ａ）に示すようにプランジャー９９ａが突出して、レバー９８が円支柱１０３を中心にして時計回り方向に回転されて位置決めされる。このとき、キックバネ１０５の付勢力により円筒回転部９６が回転方向Ｅに回転されて、円筒回転部９６の柱状体９６ｈがレバー９８の先端９８ａに当接する位置Ｐ１１まで回転移動する。これに伴い、円筒回転部９６の鍔９６ｂに突設された突起９６ｅが位置Ｐ２１まで回転移動され、キックバネ１０４の付勢力によりシャッター板９７が回転方向Ｄに回転されて、シャッター板９７の側端９７ｂが突起９６ｅに当接し、シャッター板９７が閉じられる。
【００９０】
また、ソレノイド９９が付勢されたときには、図１４（ｂ）に示すようにプランジャー９９ａが引き込まれる。このとき、レバー９８が円支柱１０３を中心にして反時計周りに回転され、レバー９８の先端９８ａにより円筒回転部９６の柱状体９６ｈが押されて、キックバネ１０５の付勢力に抗して円筒回転部９６が回転方向Ｅとは逆方向に回転され、円筒回転部９６の柱状体９６ｈが位置Ｐ１２まで回転移動する。これに伴い、円筒回転部９６の鍔９６ｂの突起９６ｅが位置Ｐ２２まで回転移動され、突起９６ｅによりシャッター板９７の側端９７ｂが押されて、キックバネ１０４の付勢力に抗してシャッター板９７が回転方向Ｄとは逆方向に回転されて、シャッター板９７が開かれる。
【００９１】
次に、円筒回転部９６と第１及び第２保持体９１、９２との係合状態及び動作について説明する。図１５（ａ）〜（ｃ）は、円筒回転部９６と第１及び第２保持体９１、９２との係合状態及び動作を示す図である。
【００９２】
まず、ソレノイド９９が消勢されて、図１４（ａ）に示すようにプランジャー９９ａが突出すると、キックバネ１０５の付勢力により円筒回転部９６が回転方向Ｅに回転されて、円筒回転部９６の柱状体９６ｈが位置Ｐ１１まで回転移動し、円筒回転部９６の鍔９６ｂに突設された突起９６ｅが位置Ｐ２１まで移動する。これに伴い、図１５（ａ）に示すように円筒回転部９６内側の各凸部９６ｄが位置Ｐ３１まで回転移動する。また、第１及び第２保持体９１、９２が上下方向に移動可能にかつ回転を禁止された状態で支持されていることから、第１及び第２保持体９１、９２に対して円筒回転部９６内側の各凸部９６ｄが回転移動することになり、各凸部９６ｄが第２保持体９２の各上段ガイド面９２ｅ上へと移動し、第１及び第２保持体９１、９２がコイルバネ９５の付勢力に抗して下方に移動される。これにより、校正基準部材７８が分光測色器７２の検出面７２ａから離間した退避位置まで移動される。
【００９３】
従って、ソレノイド９９が消勢されると、図１４（ａ）に示すようにシャッター板９７が閉じられ、図１５（ａ）に示すように保持部９３が下方に移動されて、校正基準部材７８が退避位置に位置決めされる。すなわち、図４（ａ）に示すように校正基準部材７８が分光測色器７２の検出面７２ａから離間した退避位置に位置決めされて、分光測色器７２の検出面７２ａと保持部９３並びに校正基準部材７８との隙間が広く開き、シャッター板９７がその隙間に挿入されて閉じられ、シャッター板９７により分光測色器７２の検出面７２ａの汚れが防止される。
【００９４】
また、ソレノイド９９が付勢されて、図１４（ｂ）に示すようにプランジャー９９ａが引き込まれると、円筒回転部９６がキックバネ１０５の付勢力に抗して回転方向Ｅとは逆方向に回転されて、円筒回転部９６の柱状体９６ｈが位置Ｐ１１から位置Ｐ１２へと回転移動し、円筒回転部９６の鍔９６ｂに突設された突起９６ｅが位置Ｐ２１から位置Ｐ２２へと回転移動する。これに伴い、図１５（ｂ）、（ｃ）に示すように円筒回転部９６内側の各凸部９６ｄが位置Ｐ３１から位置Ｐ３２へと回転移動する。
【００９５】
図１５（ｂ）に示すように円筒回転部９６内側の各凸部９６ｄが位置Ｐ３１からＰ３２へと回転移動する途中では、各凸部９６ｄが第２保持体９２の各傾斜ガイド面９２ｆに摺接して移動する。このため、コイルバネ９５により上方に付勢されている第１及び第２保持体９１、９２が上方向に徐々に移動されて行く。そして、図１５（ｃ）に示すように円筒回転部９６内側の各凸部９６ｄが第１保持体９１のストッパー９１ｆに当接する位置Ｐ３２まで回転移動すると、各凸部９６ｄが第２保持体９２の各下段ガイド面９２ｇまで移動し、第１及び第２保持体９１、９２が更に上方に移動されて、校正基準部材７８が分光測色器７２の検出面７２ａに接近した読取り位置まで移動される。
【００９６】
従って、ソレノイド９９が付勢されると、図１４（ｂ）に示すようにシャッター板９７が開かれ、図１５（ｃ）に示すように保持部９３が上方に移動されて、校正基準部材７８が読取り位置に位置決めされる。すなわち、図４（ｂ）に示すようにシャッター板９７が分光測色器７２の検出面７２ａと保持部９３並びに校正基準部材７８との間から出されて開かれたときには、保持部９３が上方に移動して、校正基準部材７８が分光測色器７２の検出面７２ａに接近した読取り位置に位置決めされ、分光測色器７２による校正基準部材７８の読取り精度が高くなる。
【００９７】
更に、ソレノイド９９が再び消勢されると、図１４（ａ）に示すようにシャッター板９７が閉じられ、キックバネ１０５の付勢力により円筒回転部９６が回転方向Ｅに回転されて、図１５（ａ）〜図１５（ｃ）とは逆の順序で保持部９３が下方に移動され、校正基準部材７８が退避位置に位置決めされる。
【００９８】
このようにシャッター板９７の開閉動作と保持部９３並びに校正基準部材７８の上下方向の移動とを連動させており、シャッター板９７が閉じられたときには、保持部９３が下方に移動されて、校正基準部材７８が分光測色器７２の検出面７２ａから離間した退避位置に位置決めされ、その検出面７２ａと保持部９３並びに校正基準部材７８との隙間が広く開けられて、シャッター板９７がその隙間に挿入される。また、シャッター板９７が開かれたときには、保持部９３が上方に移動されて、校正基準部材７８が分光測色器７２の検出面７２ａに接近した読取り位置に位置決めされ、分光測色器７２による校正基準部材７８の読取り精度が高くなる。
【００９９】
次に、校正基準部材７８及び保持部９３を取外す手順（脱抜方法）を説明する。先に述べたように図１２（ａ）〜（ｄ）に示す手順で第１及び第２保持体９１、９２の内側に固定支持部９４を差し込んで取付け、第１及び第２保持体９１、９２を円筒回転部９６の内側にセットした。校正基準部材７８及び保持部９３を取外すときには、図１２（ａ）〜（ｄ）とは逆の手順を行えばよい。
【０１００】
まず、シャッター板９７が開かれた状態で、例えばピンセット等を用いて、固定支持部９４の各弾性柱９４ｆの爪９４ｇを押して第１保持体９１の各切欠部９１ｊの下端９１ｍから外す。そして、図１２（ｄ）に示すようにコイルバネ９５の付勢力により第２保持体９２の各下段ガイド面９２ｇが円筒回転部９６の各凸部９６ｄに当接した状態で、第１及び第２保持体９１、９２をコイルバネ９５の付勢力に抗して矢印の方向と逆の下方に押し下げて行く。
【０１０１】
更に、図１２（ｃ）に示すように円筒回転部９６の各凸部９６ｄが第２保持体９２の各下段ガイド面９２ｇ及び第１保持体９１の各ストッパー９１ｆの上端から離間した状態になってから、図１２（ｂ）に示すように円筒回転部９６の各凸部９６ｄが第１保持体９１の各ストッパー９１ｆの上端を越えて第１保持体９１の各Ｌ字形凹部９１ｂの空きスペースに移動するまで円筒回転部９６を回転させる。
【０１０２】
引き続いて、図１２（ａ）に示すように第１及び第２保持体９１、９２を解放すれば、コイルバネ９５の付勢力により第１及び第２保持体９１、９２が上方向に移動される。このとき、円筒回転部９６の円筒側壁９６ａ内側の各凸部９６ｄが第１保持体９１の各Ｌ字形凹部９１ｂの空きスペースを通過し、同時に図５及び図６に示すように第１保持体９１の各ガイド凸部９１ｇが固定支持部９４の各ガイド溝９４ｄから外れかつ第１保持体９１の各係合凸部９１ｈ並びに第２保持体９２の各係合凸部９２ｍが固定支持部９４の各ガイド溝９４ｃから外れて、第１及び第２保持体９１、９２が更に上方に移動されて固定支持部９４から押出される。
【０１０３】
この後、第１及び第２保持体９１、９２を互いに一体化させて組み立てるときとは逆の回転方向に第２保持体９２を回転させれば、第２保持体９２の各ストッパー９２ｋが第１保持体９１の各切欠部９１ｊから外れて、第１及び第２保持体９１、９２が分離するので、校正基準部材７８を取外すことができ、校正基準部材７８のクリーニングや交換を行うことができる。
【０１０４】
このように本実施形態では、概ね、保持部９３（第１保持体９１、第２保持体９２）を押し下げたり解放したりする操作と、円筒回転部９６を回転させる操作とを行うだけで、保持部９３並びに校正基準部材７８を着脱することができる。また、コイルバネ９５は、校正基準部材７８をガタツキなく押えるだけではなく、保持部９３を上方に付勢して円筒回転部９６から押出すので、これによっても保持部９３並びに校正基準部材７８の着脱が容易化されている。
【０１０５】
以上、添付図面を参照しながら本発明の好適な実施形態について説明したが、本発明は係る例に限定されないことは言うまでもない。当業者であれば、特許請求の範囲に記載された範疇内において、各種の変更例又は修正例に想到し得ることは明らかであり、それらについても当然に本発明の技術的範囲に属するものと解される。
【符号の説明】
【０１０６】
１  画像形成ユニット（画像形成部）
２  中継ユニット
３  コーティングユニット
４  後処理ユニット
５  読取りユニット
１１  光走査装置
１２  現像装置
１３  感光体ドラム
１４  ドラムクリーニング装置
１５  帯電器
１７  定着装置
１８  給紙カセット
２１  中間転写ベルト
２５  ベルトクリーニング装置
２６  転写装置
３３  ピックアップローラ
３４  レジストローラ
３５  搬送ローラ
３６  排紙ローラ
６１  読取り装置
７１  ガイドプレート
７２  分光測色器（読取り部）
７３  ガイドシャフト
７４ａ、７４ｂ  プーリ
７５  駆動モータ
７６  無端状ベルト
７７  校正ユニット
７８  校正基準部材
９１  第１保持体
９１ｂ  Ｌ字形凹部９１ｂ（空きスペース）
９１ｆ  ストッパー
９２  第２保持体
９２ｄ  ガイド部
９３  保持部
９４  固定支持部（支持部）
９５  コイルバネ（付勢部材）
９６  円筒回転部（環状回転部）
９６ｄ  凸部
９７  シャッター板
９８  レバー
９９  ソレノイド
Ｐｓ  画像形成装置
【図１】
2014082680.tif 000003
【図２】
2014082680.tif 000004
【図３】
2014082680.tif 000005
【図４】
2014082680.tif 000006
【図５】
2014082680.tif 000007
【図６】
2014082680.tif 000008
【図７】
2014082680.tif 000009
【図８】
2014082680.tif 000010
【図９】
2014082680.tif 000011
【図１０】
2014082680.tif 000012
【図１１】
2014082680.tif 000013
【図１２】
2014082680.tif 000014
【図１３】
2014082680.tif 000015
【図１４】
2014082680.tif 000016
【図１５】
2014082680.tif 000017